(57)【要約】【課題】個別包装により包装した菓子の外観を、立体感あるものにする。【解決手段】小片状のおかき１を樹脂製の透明フィルム２からなる小袋１０で個別包装し、上記小袋１０の外面に、にぎり寿司のネタの写真を描いた表示部３を設け、おかき１はにぎり寿司のシャリ玉に、表示部３はにぎり寿司のネタとし、透明フィルム２を介して外側から見える前記おかき１の外観と前記表示部３の外観とをにぎり寿司の外観に見立てたものである。両者は、あたかも一つの立体的な物品に見えるので、外観上の単調さを解消し得る。また、小袋１０は、筒状の上記フィルム２の両端開口を平行にシールすることにより封止したので、表示部はフラットなものとなり、そのフラットなフィルムに印刷された写真又は絵の部分が、同じくフラットな形状を有する前記にぎり寿司のネタとそっくりに見えるようになる。したがって、よりリアリティのある物品の外観を実現することができる。【選択図】図１
2006290381.tif 000002
【特許請求の範囲】
【請求項１】
小片状の菓子１を樹脂製のフィルム２からなる小袋１０で個別包装した包装菓子において、
上記小袋１０の外面に、上記菓子１以外の物品Ａの一面の写真又は絵を描いた表示部３を設け、その小袋１０の前記表示部３以外の部分は透明な透明部４とし、前記表示部３の内側に上記菓子１を配置して小袋１０を封止し、前記透明部４を介して外側から見える前記菓子１の外観と前記表示部３の外観とを前記物品Ａの外観に見立てたことを特徴とする包装菓子。
【請求項２】
上記物品Ａは、厚みを有する構成品ａと、その構成品ａの上に載せられるフラットな形状を有する載置物ｂとからなり、
上記菓子１は、前記構成品ａの形状と色彩とを似せた外観とし、上記表示部３は、前記載置部ｂを平面視した写真又は絵としたことを特徴とする請求項１に記載の包装菓子。
【請求項３】
上記物品Ａはにぎり寿司であり、上記構成品ａを前記にぎり寿司のシャリ玉とし、上記載置品ｂを前記にぎり寿司のネタとしたことを特徴とする請求項２に記載の包装菓子。
【請求項４】
上記小袋１０は、筒状の上記フィルム２の両端開口を平行にシールすることにより封止したものであることを特徴とする請求項２又は３に記載の包装菓子。
【請求項５】
請求項３又は４に記載の包装菓子を、寿司ケース１１に収納したことを特徴とする包装菓子。
【請求項６】
上記物品Ａはぎょうざ又はしゅうまいであり、上記菓子１は前記ぎょうざ又はしゅうまいの形状と色彩とを似せた外観とし、上記表示部３は、そのぎょうざ又はしゅうまいを平面視した写真又は絵としたことを特徴とする請求項１に記載の包装菓子。
【請求項７】
上記菓子１をおかきとしたことを特徴とする請求項１乃至６のいずれかに記載の包装菓子。
【発明の詳細な説明】
【技術分野】
【０００１】
この発明は、包装菓子に関するものである。
【背景技術】
【０００２】
一般に、おかき、あられ、せんべい、クッキー、ビスケットなどの焼き菓子、あるいは、キャンディー、粒状のチョコレートなどの小片状の菓子類は、いわゆる個別包装、すなわち、その菓子の片又は粒を、一つ一つ又はある程度の個数まとめて別々の小袋に入れて密封し、その小袋に包装された菓子を大きな袋に詰めて販売される機会が増えている。
これは、菓子を個別包装することにより、食べる菓子のみを開封できるようにし、他の菓子は未開封のまま保存できるようにしたものである。
【０００３】
この個別包装の小袋に使用される素材は、多くの場合、合成樹脂製のフィルムであり、その個別包装の手法としては、例えば、所定の大きさのフィルムの一方の縁部に、あらかじめ接着剤を塗布しておき、フィルムを押し返してその一方の縁部と対側の縁部とを接着して筒状にするとともに、その内側に菓子を入れて両端開口をシールすることにより封止するものが一般的である（例えば、特許文献１参照）。
【特許文献１】特開２０００−３３５５９８号公報
【発明の開示】
【発明が解決しようとする課題】
【０００４】
この種の個別包装のフィルムには、その外側に印刷により模様や図柄を施したり、あるいは商品名等の商品情報を付したりする。また、透明のフィルムを使用し、内容物の菓子が外側から見えるようにする場合もある。
【０００５】
しかし、フィルムに印刷される模様や図柄等は、いずれも平面的であり、そのフィルムを用いた個別包装の菓子の外観は立体感に乏しく単調であるという問題がある。
【０００６】
そこで、この発明は、個別包装により包装した菓子の外観を、立体感あるものにすることを課題とする。
【課題を解決するための手段】
【０００７】
上記の課題を解決するために、この発明は、小袋のフィルムを透明にして内容物を外側から見えるようにし、その内容物とフィルムに描いた写真又は絵とを一体に他の物品に見立てたのである。
【０００８】
このようにすれば、小袋のフィルムに印刷された平面的な写真又は絵と、立体的な形状を有する内容物とが調和して、外観上、一体に一つの物品に見えるので商品が立体的となる。
したがって、上記構成によれば、商品の外観上の単調さを解消し得るとともに、その商品は、あたかも内容物と異なる物品に見えるので、商品の娯楽性が高まりその商品価値も向上する。
【発明の効果】
【０００９】
この発明は、個別包装により包装した菓子の外観を、立体感あるものにすることができる。
【発明を実施するための最良の形態】
【００１０】
上記手段の実施形態として、小片状の菓子を樹脂製のフィルムからなる小袋で個別包装した包装菓子において、上記小袋の外面に、上記菓子以外の物品の一面の写真又は絵を描いた表示部を設け、その小袋の前記表示部以外の部分は透明部とし、前記表示部の内側に上記菓子を配置して小袋を封止し、前記透明部を介して外側から見える前記菓子の外観と前記表示部の外観とを前記物品の外観に見立てたものである。
【００１１】
このようにすれば、小袋内の内容物（菓子）は、その小袋の印刷されていない透明部を介して外側から見えるので、小袋のフィルムに印刷された平面的な写真又は絵と、その立体的な形状を有する内容物とが調和して、外観上、一体に一つの物品に見える。このため、商品が立体的に見えるので、その商品の外観上の単調さを解消し得る。
また、その菓子は、あたかも、その菓子とは異なる物品に見えるので、商品の娯楽性が高まりその商品価値も向上する。
【００１２】
また、上記の構成において、上記物品は、厚みを有する構成品と、その構成品の上に載せられるフラットな形状を有する載置物とからなり、上記菓子は、前記構成品の形状と色彩とを似せた外観とし、上記表示部は、前記載置物を平面視した写真又は絵とした構成を採用し得る。
【００１３】
このようにすれば、上記表示部のフィルムはフラットなものであり、そのフラットなフィルムに印刷された写真又は絵の部分が、同じくフラットな形状を有する前記載置物とそっくりに見えるようになる。したがって、内容物である菓子とその表示部との一体感がさらに増し、リアリティのある物品の外観を実現することができる。
【００１４】
上記物品を、厚みを有する構成品と、その構成品の上に載せられるフラットな形状を有する載置物とした構成において、例えば、その物品をにぎり寿司とし、構成品をにぎり寿司のシャリ玉、載置物を寿司ネタとすれば、その菓子は、表示部と一体になって外観上にぎり寿司に見える。
【００１５】
また、上記構成品と載置物とからなる構成において、上記小袋を、筒状のフィルムの両端開口を平行にシールすることにより封止したものとすれば、表示部がよりフラットな形状で維持されるので、さらにリアリティのある物品の外観を実現することができる。
その包装菓子の外観をにぎり寿司にした態様において、その包装菓子を寿司ケースに収納すれば、より本物の外観に近づくので商品価値がさらに高まる。
【００１６】
また、上記物品をぎょうざ又はしゅうまいとし、上記菓子は前記ぎょうざ又はしゅうまいの形状と色彩とを似せた外観とし、上記表示部は、そのぎょうざ又はしゅうまいを平面視した写真又は絵としてもよい。
このようにすれば、表示部のぎょうざ又はしゅうまいの平面的な写真又は絵と、中身の菓子とが調和して、外観上、一体にぎょうざ又はしゅうまいに見える。このため、商品が立体的に見えるとともに、上記の場合と同様、商品の娯楽性が高まりその商品価値も向上する。
【００１７】
なお、上記の各構成において、上記菓子をおかきとすれば、焼き色を変えることにより色彩を物品に似せるように近づけることができ、また、形状の細工が容易である。
例えば、物品がにぎり寿司の場合は、おかきを、白色を主体とした焼き色に仕上げれば、よりシャリの外観に近づき、また、物品がぎょうざの場合には、おかきを、ぎょうざの皮の表面の色、あるいは、その皮が部分的に焦げた色の焼き色に仕上げれば、よりリアリティが高まる。さらに、物品がしゅうまいの場合には、おかきを、しゅうまいの皮が蒸し上がった状態の色の焼き色に仕上げればよい。
【実施例１】
【００１８】
実施例１を図１乃至図５に示す。この実施形態の包装菓子２０は、図５に示すように、筒状に形成したフィルム２の両端開口を平行にシールすることにより封止した小袋１０内に小片状おかき（菓子）１を一つ入れて個別包装したものである。その小袋１０は、前記両端開口を平行にシールすることにより、その上下面がともにフラットな面となっている。
【００１９】
フィルム２は、無色透明の合成樹脂製であり、その小袋１０のフラットな上面には、各種にぎり寿司のネタ（載置物ｂ）の平面視写真がカラー印刷された表示部３が設けられている。また、その表示部３以外の部分は、無色透明の透明部４となっている。
内側の収納されているおかき１は、幾分厚みを有する平面視楕円形となっており、その大きさ、形状、色彩ともに本物のにぎり寿司のシャリ玉（構成品ａ）に似た外観とし、そのおかき１が、前記表示部３の内側に位置するようになっている。
【００２０】
上記小袋１０内に立体的な形状を有するおかき１が収納されることにより、この商品を見る需要者、取引者は、上記透明部４を介して外側から見えるおかき１の外観と、その表示部３の外観とが相まって、全体としてにぎり寿司（物品Ａ）のように見えるようになっている。すなわち、おかき１がにぎり寿司のシャリ玉（構成品ａ）に、表示部３が寿司のネタ（載置物ｂ）に相当し、両者の外観が、全体としてにぎり寿司（物品Ａ）に見立てられる。
【００２１】
このとき、上記フラットな面に設けられた表示部３は、幾分おかき１の外面に沿って外側凸状に湾曲するので、実際のにぎり寿司のネタがシャリ玉の外面に沿って湾曲している姿に近づく。このため、包装菓子２０の外観がより実物の握り寿司に近づいて、商品のリアリティがさらに高まるのである。
【００２２】
また、この実施例１では、図１に示すように、上記個別包装による包装菓子２０を、仕切板１２ａ付きのトレー１２上に複数個配置し、そのトレー１２を大きな包装袋１３に収納して、シールにより封止している（図３参照）。この包装袋１３は、無色透明の合成樹脂製のものである。
その包装菓子２０としては、ネタの異なるものを並べており、図２に示すように、こはだ（包装菓子２１）、うに（包装菓子２２）、まぐろ（包装菓子２３）、いくら（包装菓子２４）、たい（包装菓子２５）、とろ（包装菓子２６）、さより（包装菓子２７）、サーモン（包装菓子２８）、えび（包装菓子２９）、たこ（包装菓子３０）、あかがい（包装菓子３１）、あなご（包装菓子３２）をそれぞれ寿司ネタとしたものを揃えている。
【００２３】
その包装袋１３入りの包装菓子２０を、図４に示す寿司ケース１１に収納する。寿司ケース１１は、同じく合成樹脂製で、矩形凹状の本体１１ｂと無色透明の蓋１１ａとからなり、本物の寿司を詰めて販売される寿司ケースとするか、あるいはそれに近い外観のものを使用する。
また、上記各包装菓子２０（２１〜３２）は、その外観が、本物のにぎり寿司と同視され得るように、ほぼ実物大に形成されることを基本とするが、商品の娯楽性を高めるために、実際のにぎり寿司よりも縮小した大きさとして、いわゆるミニチュア態様の商品としてもよい。また、逆に、実際のにぎり寿司よりも拡大した大きさの商品としてもよい。
【実施例２】
【００２４】
実施例２を図６（ａ）に示す。この包装菓子２０は、小袋１０のフラットな上面には、ぎょうざの平面視写真がカラー印刷された表示部３が設けられている。また、内側の収納されているおかき１は、幾分厚みを有する平面視楕円形となっており、その大きさ、形状、色彩ともに本物のぎょうざに似た外観とし、そのおかき１が、前記表示部３の内側に位置するようになっている。
また、そのおかき１の前記表示部３に臨む面以外の面は、ぎょうざの皮の表面の色、あるいは、その皮が部分的に焦げた色の焼き色に仕上げられている。
【実施例３】
【００２５】
実施例３を図６（ｂ）に示す。この包装菓子２０は、小袋１０のフラットな上面には、しゅうまいの平面視写真がカラー印刷された表示部３が設けられている。また、内側の収納されているおかき１は、幾分厚みを有する平面視円形となっており、その大きさ、形状、色彩ともに本物のしゅうまいに似た外観とし、そのおかき１が、前記表示部３の内側に位置するようになっている。表示部３の外径とおかき１の平面視外径とはほぼ同一となっている。
また、そのおかき１の前記表示部３に臨む面以外の面は、しゅうまいの皮が蒸し上がった状態の色の焼き色に仕上げられている。
【実施例４】
【００２６】
実施例４を図７に示す。この包装菓子２０は、小袋１０の上面に、こけし（物品Ａ）の平面視写真がカラー印刷された表示部３が設けられている。また、内側の収納されているおかき１は球形となっており、その大きさ、形状、色彩ともにこけしの頭部、及び胴部に似た外観とし、そのあられ（菓子）１が、前記表示部３の内側に位置するようになっている。
表示部３には、こけしの頭部において、髪や目、鼻、口など、その表情を表す部位と、胴部の衣装の部分が印刷されており、それ以外の部分は、透明部４を介してあられ１が外側から見えるようになっているので、その表示部３の外観と、あられ１の外観とが一体となって、包装菓子２０は、こけし（物品Ａ）のように見えるようになっている。
このように、物品Ａは、寿司やぎょうざ等の食品に限定されるものではなく、この実施例４に示すこけしのように、食品以外の物品であってもよい。その物品Ａとして、例えば、人形や玩具、日用品であったり、また、物品Ａを人形とする場合には、実写の顔写真を用いた人形とすることも考えられる。また、小袋１０の内部に収納される菓子１の種類も自由である。
【図面の簡単な説明】
【００２７】
【図１】一実施形態の斜視図
【図２】同実施形態の平面図
【図３】図２の内容物を示す平面図
【図４】図２の寿司ケースを示す斜視図
【図５】菓子と小袋とを示し、（ａ）は菓子を小袋に入れてシールにより密封した状態を示す斜視図、（ｂ）は（ａ）の正面図
【図６】（ａ）（ｂ）は、他の実施形態を示す斜視図
【図７】（ａ）さらに他の実施形態を示す平面図、（ｂ）は（ａ）の正面図
【図８】図１の実施形態を示す写真図面で、寿司ケースの蓋を外した状態を示す斜視図
【図９】図１の実施形態を示す写真図面で、寿司ケースの斜視図
【図１０】図８の内容物単品を示す拡大写真図面
【図１１】図８の内容物単品を示す拡大写真図面
【図１２】図８の内容物単品を示す拡大写真図面
【図１３】図８の内容物単品を示す拡大写真図面
【符号の説明】
【００２８】
１  菓子
２  フィルム
３  表示部
４  透明部
１０  小袋
１１  寿司ケース
１１ａ  蓋
１１ｂ  本体
１２  トレー
１２ａ  仕切板
１３  包装袋
２０  包装菓子
２１  包装菓子（こはだ）
２２  包装菓子（うに）
２３  包装菓子（まぐろ）
２４  包装菓子（いくら）
２５  包装菓子（たい）
２６  包装菓子（とろ）
２７  包装菓子（さより）
２８  包装菓子（サーモン）
２９  包装菓子（えび）
３０  包装菓子（たこ）
３１  包装菓子（あかがい）
３２  包装菓子（あなご）
Ａ  物品
ａ  構成品
ｂ  載置物
【図１】
2006290381.tif 000003
【図２】
2006290381.tif 000004
【図３】
2006290381.tif 000005
【図４】
2006290381.tif 000006
【図５】
2006290381.tif 000007
【図６】
2006290381.tif 000008
【図７】
2006290381.tif 000009
【図８】
2006290381.tif 000010
【図９】
2006290381.tif 000011
【図１０】
2006290381.tif 000012
【図１１】
2006290381.tif 000013
【図１２】
2006290381.tif 000014
【図１３】
2006290381.tif 000015